(57)【特許請求の範囲】
【請求項１】
ワイヤ(１８)を支持するワイヤガイドシリンダ(１０、１１、１６、１７)を有し、ワイヤ(１８)は前記ワイヤガイドシリンダの表面に設けられた溝(２５)によって保持され、前記溝(２５)はワイヤ層(２６、２７)のワイヤ間の間隔を定め、ワイヤは、支持テーブル(３５)に固定されたのこ引きすべき１つのピースを押す間、交互移動又は連続移動で移動する、ワイヤのこ引き装置において、
前後に配列された少なくとも４つのワイヤガイドシリンダを有し、前記４つのワイヤガイドシリンダは、２つの外側ワイヤガイドシリンダ(１０、１１)と少なくとも２つの内側ワイヤガイドシリンダ(１６、１７)とを含み、
外側ワイヤガイドシリンダ(１０、１１)のワイヤは第１間隔(３０)で配列され、内側ワイヤガイドシリンダのワイヤは前記第１間隔の半分に相当する第２間隔(３１)で配列され、
内側ワイヤガイドシリンダ(１６、１７)の第１溝からのワイヤは外側ワイヤガイドシリンダ(１０、１１)の溝に進み、内側ワイヤガイドシリンダの第１溝から第２間隔(３１)だけ間隔を隔てた内側ワイヤガイドシリンダ(１６、１７)の第２溝に戻され、ワイヤは隣接した内側ワイヤガイドシリンダ(１６、１７)と協働し、２つのワイヤ層(２６、２７)で形成された"Ｘ"配列を配列すべく内側ワイヤガイドシリンダのうちの１つの上側部分、下側部分からそれぞれ、隣接した内側ワイヤガイドシリンダの下側部分、上側部分に一直線に進み、２つのワイヤ層(２６、２７)は、内側ワイヤガイドシリンダ(１６、１７)の直径(Ｄ)及び２つの隣接した内側ワイヤガイドシリンダの軸線(３８、３９)を隔てた間隔(Ｌ)によって決定される少なくとも２０°の交差角度(β)で交差する、ことを特徴とする前記ワイヤのこ引き装置。
【請求項２】
前記ワイヤのこ引き装置はｎ個の内側ワイヤガイドシリンダ(６６乃至７０)を有し、ｎは２以上の整数であり、前記ワイヤは、ワイヤ層の(ｎ−１)個の交差部を得るように前記ワイヤガイドシリンダと協働し、のこ引きすべき(ｎ−１)個のピースが、ワイヤ層の交差部と隣接した交差ワイヤ層に押し当てられる、請求項１に記載のワイヤのこ引き装置。
【請求項３】
ｎは３乃至６からなる、請求項２に記載のワイヤのこ引き装置。
【請求項４】
外側ワイヤガイドシリンダ(１０、１１)のうちの少なくとも１つはモーターによって駆動され、内側ワイヤガイドシリンダ(１６、１７、６６乃至７０)は自由に回転する、請求項１乃至３の何れか１項に記載のワイヤのこ引き装置。
【請求項５】
外側ワイヤガイドシリンダ(１０、１１)とそれと隣接した内側ワイヤガイドシリンダ(１６、１７)とは平行な２つのワイヤ層(３２、３３)によって連結される、請求項１乃至４の何れか１項に記載のワイヤのこ引き装置。
【請求項６】
外側ワイヤガイドシリンダとそれと隣接した内側ワイヤガイドシリンダ(１６、１７)とは交差した２つのワイヤ層（４５、４６）によって連結される、請求項１乃至４の何れか１項に記載のワイヤのこ引き装置。
【請求項７】
内側ワイヤガイドシリンダ(６６乃至７０)の軸線は一平面に配列され、複数の前記支持テーブル(３５)がそれらに共通の制御部材(７１)によって作動される、請求項３に記載のワイヤのこ引き装置。
【請求項８】
前記共通の制御部材は、複数の前記支持テーブル(３５)を互いに連結する連結バー(７２)を有し、電気式、空気式、液圧式、磁気式及び／又は手動式の作動手段が複数の前記支持テーブル(３５)を前記一平面と垂直な方向(３６)に同時に移動させる、請求項７に記載のワイヤのこ引き装置。
【請求項９】
複数の前記支持テーブル(３５)の各々が、電気式、空気式、液圧式、磁気式及び／又は手動式の作動手段(７５)によって前記交差したワイヤ層に個々に近づけられたり、遠ざけられたりする、請求項３に記載のワイヤのこ引き装置。
【請求項１０】
ワイヤガイドシリンダ(８０、８１、８６、８７、８８)の軸線(９０)は非平面配列に従って配列されている、請求項１乃至３の何れか１項に記載のワイヤのこ引き装置。
【請求項１１】
前記ワイヤのこ引き装置は、少なくとも１つのワイヤガイドシリンダ(８７)を移動させるように配列された交差角度(β)修正手段(９１)を有する、請求項１乃至３の何れか１項に記載のワイヤのこ引き装置。
【請求項１２】
前記ワイヤのこ引き装置は、内側ワイヤガイドシリンダ(１６、１７)と外側ワイヤガイドシリンダ(１０、１１)との間に配列された支持テーブル(５５)を有し、ワイヤ層に対する支持テーブル(５５)の移動方向(５６)と２つの隣接した内側ワイヤガイドシリンダ及び外側ワイヤガイドシリンダの軸線を含む作動平面(３７)と垂直な方向との間の傾斜角度を、前記１つのピースをのこ引きして得られたスライスの表面が平行になるように調整する調整手段を更に有する、請求項１に記載のワイヤのこ引き装置。
【発明の詳細な説明】
【０００１】
本発明は、ワイヤを支持するワイヤガイドシリンダを有し、ワイヤはワイヤガイドシリンダの表面に設けられた溝によって適所に維持され、この溝はワイヤ層のワイヤ間の間隔を定め、ワイヤは交互移動又は連続移動で移動し、少なくとも１つの支持テーブルに固定されたのこ引きすべき少なくとも１つのピースを押すワイヤのこ引き装置に関する。
【０００２】
のこ引きすべきピースから薄いスライスを切断するための装置であって、引張られたワイヤがワイヤガイドシリンダによって案内され且つぴんと張られている装置が知られている。これらのワイヤガイドシリンダは、一般的には、合成樹脂の層で被覆され、幾何学的形状及び寸法が非常に正確でなければならない溝が刻まれている。ワイヤはワイヤガイドシリンダの周りに螺旋に巻かれ、２つのワイヤガイドシリンダの間に少なくとも１つの平行ワイヤ層を形成し、平行ワイヤの２つの連続ワイヤ間の距離はスライスの厚さを定める。螺旋巻きのため、ワイヤ層のすべてのワイヤは平行に移動し、支持テーブルの進行と垂直方向の力を発生させ、のこ引きすべきピースを保持するための機構に剪断力及び張力を生じさせる。これらの力は、のこ引き速度とのこ引きすべきピースの寸法の関数であり、のこ引きすべきピースをその支持体からもぎ取るに十分大きいことがある。のこ引きすべきピースのベース部に生じた張力は、のこ引き後、得られたスライスの反りの形態で現れる変形を引起こす。その上、既知の装置では、ワイヤ層の平面はのこ引き方向とほぼ垂直であり、これは、ワイヤ層の全体の移動の場合、スライスの表面に例えば熱振動から生じる波形部を生じさせる。これらの波形部は、それがたとえ数ミクロンメートルであっても、スライスを半導体産業用のシリカのような一定の応用例に使用できなくするのに十分である。
【０００３】
本発明の目的は、ワイヤのこ引き装置が、組立体の生産性を向上させながら、スライスの波形部及び反りを減少させることにより更に良好な幾何学的品質のスライスを生産することを可能にすることによって上述した欠点を解消することにある。本発明による装置は、この目的のために、２つの外側ワイヤガイドシリンダと少なくとも２つの内側ワイヤガイドシリンダとを含み且つ前後に配列された少なくとも４つのワイヤガイドシリンダを有し、外側ワイヤガイドシリンダのワイヤは第１間隔で配列され、内側ワイヤシリンダのワイヤは第１間隔の半分に相当する第２間隔で配列され、内側ワイヤシリンダの第１溝からのワイヤは外側ワイヤガイドシリンダの溝に進み、内側ワイヤガイドシリンダの第１溝から第２間隔を隔てられた内側ワイヤガイドシリンダの第２溝に戻され、ワイヤは、少なくとも２０°と等しい交差角度で交差する２つのワイヤ層によって形成されたＸ配列を構成すべく、ワイヤが内側ワイヤガイドシリンダのうちの１つの第１上側部分及び下側部分からそれぞれ、隣接した内側ワイヤガイドシリンダの下側部分及び上側部分に一直線に進むことによって内側ワイヤシリンダと協働し、Ｘ配列は隣接した内側ワイヤガイドシリンダの直径によって、又２つの隣接した内側ワイヤガイドシリンダの軸線を隔てる間隔によって決定される、ことによって特徴づけられる。
【０００４】
かくして、切断方向と十分な角度を形成する２つのワイヤ層が得られ、ワイヤ層のワイヤは、内側ワイヤガイドシリンダの厳密に平行な軸線によって構成された作動平面に投影され、その結果、のこ引きされたスライスの表面も平行になる。ワイヤ平面は平行でなく、得られたスライスの両側で角度が異なるので、少なくとも２０°の角度のワイヤ層の交差部は波形部の問題を減少させ、これは、引続く研削作業又は形直し作業を軽減し、簡単にし、そしてそれらは不必要ですらある。少なくとも２つの内側ワイヤガイドの使用により、起こり得る波形部の問題を減少させるために、必要な効果を生じさせるのに十分な角度をもった２つののこ引き方向を、簡単な仕方で、即ち交差ワイヤをＸ配列に巻くことによって得ることができる。この構成では、のこ引き方向、それゆえ支持テーブルの進行方向と非常に異なる角度方向を有する２つの層によって支持体に引起こされる剪断力をかなり減少させることを気付くことが特に重要である。その上、支持テーブル、それゆえのこ引きすべきピースの移動に対するワイヤ層の角度位置は、のこ引きすべきピースの表面に働く切断圧力を減少させ、それにより、より大きな切断速度を可能にし、同時に、ワイヤのこ引き装置の生産性を増大させる。
【０００５】
ワイヤ層は内側ワイヤガイドシリンダの上側部分及び下側部分から進み、Ｘ配列をなして交差するので、内側ワイヤガイドシリンダに働くワイヤの力の分配をうまくバランスさせる。かくして、内側ワイヤガイドシリンダのベアリングに働く力は小さい。かくして、これらのベアリングによって放出される熱は減少し、これにより、のこ引きされたスライスの幾何学的形状の向上を可能にする。その上、より小さい寸法のローラーベアリングを使用することができる。
【０００６】
のこ引きされたスライスの精度も改善される、というのは、内側ワイヤガイドシリンダは、交差ワイヤ層のワイヤの位置を決定する、より小さい力を受け、外側ワイヤガイドシリンダは、ワイヤの位置に影響を及ぼさないが駆動に役立つ大きい指向性の力を受けるからである。
【０００７】
実質的な交差効果を得ることを望むならば、２つのワイヤ層間に必要な角度は少なくとも２０°でなければならない。しかしながら、９０°を超えると、交差ワイヤ層の利点は減少する。
【０００８】
交差ワイヤ層はＸ形配列を形成すべく、隣接した内側ワイヤガイドシリンダの間を一直線に引張られ、従って、ガイドシリンダ又は偏向シリンダのようなガイド部材を通過しないので、ワイヤ層の大きな交差角度、及びワイヤ層のワイヤの非常に良好な整列と最適な平行性が得られる。
【０００９】
内側ワイヤガイドシリンダのワイヤが外側ワイヤガイドシリンダのワイヤの半間隔に相当する間隔で配列され、外側ワイヤシリンダが内側ガイドシリンダの溝から受入れたワイヤを、内側ワイヤガイドシリンダの前記溝から半間隔離れた溝に戻すならば、内側ワイヤガイドシリンダのワイヤは、作動平面におけるワイヤの投影が完全に平行になるように配列される。かくして、表面が平行なスライスが、ワイヤ層を２０°以上の大きな交差角度で交差させる簡単な仕方で得られる。
【００１０】
かくして、本発明は、高生産性を有し、且つしばしば外力に非常に敏感な材料のものであるのこ引きすべきピースののこ引き中の幾何学的欠損の減少及び内部応力の減少によって高められた平均精度を有する、優れたワイヤのこ引き装置を提供することを可能にする。
【００１１】
好ましい実施形態によれば、ワイヤのこ引き装置は、前後に配列されたｎ個の内側ワイヤガイドシリンダを有し、ｎは２以上の整数であり、ワイヤは内側ワイヤガイドシリンダと協働して、ワイヤ層の(ｎ−１)個の交差部を得、のこ引きすべき(ｎ−１)個のピースが、ワイヤ層の交差部と実質的に隣接した交差ワイヤ層に当てられるようになっている。
【００１２】
好ましくは、ｎは３乃至６からなる。
【００１３】
これらの構成であれば、相当数の利点が同時に得られる。のこ引きすべきピースの数に対する内側ワイヤガイドシリンダの数の比を２と等しくさせる代わりに、この比を相当減少させても良く、即ち、３、４、５、６つの内側ガイドシリンダついてそれぞれ、１．５、１．３３、１．２５、１．２にしても良い。かくして、ますます小さく且つ有利である、のこ引きしたピースの数に対するワイヤガイドシリンダの被覆部の摩耗の比が得られる。もちろん、全体寸法の問題のため、ワイヤガイドシリンダの数を無制限に増やすことはできない。装置が数ピースを同時にのこ引きすることができれば、生産性のかなりの利得が得られる。同時に、交差ワイヤ層のため、重要な利点が享受される。
【００１４】
好ましい実施形態によれば、内側ワイヤガイドシリンダは一平面に配列され、支持テーブルは共通の制御部材によって作動される。
【００１５】
この構成のため、単一の制御部材を必要とするに過ぎない特に簡単で効果的な構成が得られる。
【００１６】
変更例によれば、各支持テーブルは、電気式、空気式、液圧式、磁気式及び／又は手動式の作動手段によって交差ワイヤ層に個々に近づけられたり、遠ざけられたりするようになっている。
【００１７】
この構成は、種々の寸法ののこ引きすべきピースの正確なのこ引きを可能にする。
【００１８】
これらの変更例では、ワイヤガイドシリンダの軸線の中心が非直線配列に配列される。
【００１９】
これらの特徴は、装置全体の幅に関する全体寸法の縮小を可能にする。
【００２０】
他の利点は、従属項に記載した特徴及び、概略的に且つ例示として３つの実施形態及び変更例を表す図面が役立つ本発明の以下の詳細な説明から明らかであろう。
【００２１】
図１Ａ及び図１Ｂに示す第１の実施形態は、ワイヤのこ引き機又は装置の４つのワイヤガイドシリンダを有する。これらのシリンダは前後に配列され、モーター１４、１５によって駆動される２つの外側ワイヤガイドシリンダ１０、１１と、自由に回転する２つの内側ワイヤガイドシリンダ１６、１７とからなる。一般的に言えば、ワイヤ１８が、モーター２０によって駆動される供給ボビン１９から繰出され、ワイヤガイドシリンダに配列され、モーター２２によって駆動される収容ボビン２１に巻き取られる。ワイヤガイドシリンダはワイヤ１８を支持し、ワイヤ１８をワイヤガイドシリンダの表面に設けられた溝２５によって保持する。ワイヤは交互移動及び／又は連続移動で移動するようになっている。
【００２２】
４つのワイヤガイドシリンダ上及びその周りのワイヤを、外側ワイヤガイドシリンダ１０、１１のワイヤが値Ｐの第１間隔３０で配列され、内側ワイヤガイドシリンダ１６、１７のワイヤが第１間隔の半分、即ちＰ／２に相当する第２間隔３１で配列されているように巻く点が特徴である。
【００２３】
かくして、ワイヤ１８は第１外側ワイヤガイドシリンダ１０から第１内側ワイヤガイドシリンダ１６の下側部分に進む。次いで、ワイヤは第２内側ワイヤガイドシリンダ１７の上側部分に一直線に進み、そこから、第２外側ワイヤガイドシリンダ１１、第２内側ワイヤガイドシリンダ１７の下側部分に進み、この第２内側ワイヤガイドシリンダ１７の下側部分では、ワイヤは間隔３１だけ隔てられた溝を占める。次いで、ワイヤは第１内側ワイヤガイドシリンダ１６の上側部分に一直線に進み、そこから第１外側ワイヤガイドシリンダ１０に送られる。かくして、ワイヤは、２つの内側ワイヤガイドシリンダ１６、１７間に２つのワイヤ層２６、２７によって形成されたＸ配列を形成し、２つのワイヤ層２６、２７は、内側ワイヤガイドシリンダの直径Ｄとこれらの内側ワイヤガイドシリンダの軸線３８、３９を隔てた間隔Ｌとよって決定された少なくとも２０°と等しい交差角度βで交差している。
【００２４】
外側ワイヤガイドシリンダ１０、１１と内側ワイヤガイドシリンダ１６、１７とを連結している２つのワイヤ層３２、３３は交差しない。
【００２５】
のこ引きすべきピース３４は支持テーブル３５に固定され、支持テーブル３５は内側ワイヤガイドシリンダ１６、１７の２つの軸線３８、３９によって定められる作動平面３７と垂直な方向３６に移動される。かくして、のこ引きすべきピース３４は２つの交差層２６、２７の交差線４０と垂直な方向に２つの交差層２６、２７に押しつけられる。
【００２６】
図１Ａは、２つの交差層２６、２７のワイヤ１８の作動平面における投影が２つの内側ワイヤガイドシリンダ１６、１７間で完全に平行であり且つ値Ｐ／２の間隔３１だけ隔てられていることを明瞭に示している。かくして、厚さＰ／２ののこ引きスライスが得られるが、この厚さは、もちろん、研磨剤で被覆されたワイヤ１８の直径だけ減少している。他方、外側ワイヤガイドシリンダ１０、１１のワイヤ間隔３０は値Ｐのものであり、外側ワイヤガイドシリンダと内側ワイヤガイドシリンダとの間のワイヤの作動平面における投影は平行でない。
【００２７】
内側ワイヤガイドシリンダ１６、１７に作用する力のバランスされた分配のため、これらの内側ワイヤシリンダのローラーベアリングはより小さても良く、より少ない熱が放出されるに過ぎない。かくして、高精度ののこ引きスライスが得られる。
【００２８】
図２Ａ及び図２Ｂに示す変更例は、外側ワイヤシリンダ１０、１１と内側ワイヤシリンダ１６、１７との間に位置するワイヤ層３２、３３が平行でなく、交差層４５、４６を形成していることだけが前の実施形態と異なる。しかしながら、図１Ａにおいて、ワイヤの作動平面における投影は平行でないことがわかる。
【００２９】
かくして、所望ならば、のこ引きすべきピース５４を有する可動支持テーブル５５を設けることが可能である。しかし、スライスののこ引き面が平行であるべきことが望まれる場合、移動方向５６は作動平面３７と垂直ではなく、作動平面３７と垂直で且つワイヤガイドシリンダの軸線３８、３９と平行な調整平面５８で所定角度δだけ傾けられる。この角度は、間隔３１、ワイヤガイドシリンダの直径Ｄ、及び内側及び外側ワイヤガイドシリンダの軸線を隔てる距離Ｌ’の関数として計算される。
【００３０】
かくして、この構成では、内側ワイヤガイドシリンダ１６、１７に作用する力の分配が更に良好であり、このことが得られるスライスの精度に好ましくは貢献することが強調されるべきである。
【００３１】
図３Ａ及び図３Ｂに示す実施形態は、ｎ＝５個の内側ワイヤガイドシリンダ６６乃至７０を有し、これらの内側ワイヤシリンダがモーター１４、１５によって駆動される外側ワイヤシリンダ１０と１１との間に前後に配列されていることが第１の実施形態と異なる。
【００３２】
かくして、ワイヤ層の(ｎ−１)＝４個の交差部が得られる。かくして、支持テーブル３５に取付けられたのこ引きすべき(ｎ−１)＝４個のピースはワイヤの交差部と実質的に隣接したワイヤの交差層に当てられる。もちろん、ｎは５でなくても良く、３乃至６が好ましい。
【００３３】
内側ワイヤシリンダ６６乃至７０は一平面に配列され、支持テーブル３５は共通の制御部材７１で作動される。制御部材７１は、例えば、支持テーブルを連結する連結バー７２と、すべての支持テーブルを作動平面と垂直な方向３６に同時に移動させるようになっている電気モーター７３とを有する。
【００３４】
図３Ｃに示す変更例は、各支持テーブル３５が個々の駆動機構７５によって駆動されることが前の実施形態と異なる。かくして、異なる寸法のピース３４を同時にのこ引きすることが可能である。その上、補足的支持テーブル５５が、図２Ａ及び図２Ｂを参照して説明したように設けられても良い。
【００３５】
図４に示す実施形態は、一平面に配列されていないワイヤガイドシリンダを有する。ワイヤガイドシリンダの軸線９０は、任意可能な形態、即ち円弧、三角形、多角形等を有する。
【００３６】
図４の場合、装置は２つの外側ワイヤガイドシリンダ８０、８１と３つの内側ワイヤガイドシリンダ８６、８７、８８とを有し、これらのワイヤガイドシリンダはほぼ三角形態をなす。中央のワイヤガイドシリンダ８７は三角形の頂点を形成する。ワイヤガイドシリンダ８７はフレーム９１に移動可能に取付けられる。かくして、方向９２のこの中央シリンダ８７の移動によって、交差ワイヤ層９３と９４との間の交差角度βを変化させることが可能である。中央シリンダ８７の移動は、手動式、電気式、空気式又は液圧式手段の何れかによって実行される。この実施形態の他の要素は、すべての箇所に関して、上述してきた要素と依然同様である。
【００３７】
ワイヤガイドシリンダ４の間の交差ワイヤ層２を形成するのこ引き用ワイヤは、硬い材料のブロック又はシリカ、セラミック、III−Ｖ族から選択された元素の化合物、ＧＧＧ(カドミウム、ガリウム、ガーネット)、サファイヤのようなより特別な合成物を厚さ約０．１乃至０．５ｍｍのスライスにのこ引きするために、直径０．１乃至０．２ｍｍのばね鋼から構成される。研磨剤は商品であり、ワイヤに固定された形態の或いは自由滑り形態のダイヤモンド、シリコンカーバイド、アルミナ等である。
【００３８】
かくして、外側ワイヤガイドシリンダ及び内側ワイヤガイドシリンダにわたって間隔が異なる巻きを構成する本発明によれば、作動平面と垂直な支持テーブルの進行を有しながら、交差角度が大きく、ワイヤの投影が平行な交差ワイヤ層を得ることが可能である。かくして、得られたスライスの波形部の問題は減少し、或いは解消する。支持テーブルに引起こされる剪断力及びのこ引きすべきピースの表面に働く切断圧力はかなり減少する。内側ワイヤガイドシリンダに働く力は大部分補償され、従って、より小さいローラーベアリングを使用することができる。内側ワイヤガイドシリンダのベアリングによって放出される熱も減少し、これにより、得られるスライス結果物の精度を向上させる。
【００３９】
図３Ａ、３Ｂ、３Ｃ及び図４を参照して開示したような多交差ワイヤ層の概念は、生産性の増大、のこ引きすべきピースの所定数当たりのワイヤガイドシリンダの摩耗の減少のような、更なる他の補足的利点を可能にする。
【００４０】
もちろん、上述した実施形態は、限定するようなものではなく、任意所望の変更を請求項１によって構成される範囲内で有しても良い。特に、正方形、多角形、円形等の配列のようなワイヤガイドシリンダの他の種類の幾何学的配列が考えられる。支持テーブルの移動は、機械式、電気式、空気式、液圧式等の手段の何れかによって引起こされる。２つの外側ワイヤガイドシリンダを駆動する代わりに、外側ワイヤガイドシリンダのうちの１つだけを駆動することも可能である。多数の内側ワイヤガイドシリンダを有する装置では、内側ワイヤガイドシリンダの少なくとも一部分の駆動部を設け、他のシリンダは自由回転するように設けても良い。
【図面の簡単な説明】
【図１Ａ】  第１の実施形態の平面図である。
【図１Ｂ】  第１の実施形態の正面図である。
【図２Ａ】  変更例の平面図である。
【図２Ｂ】  変更例の正面図である。
【図３Ａ】  第２の実施形態の平面図である。
【図３Ｂ】  第２の実施形態の正面図である。
【図４】  第３の実施形態の正面図である。
【図１Ａ】
0004410931.tif 000002
【図１Ｂ】
0004410931.tif 000003
【図２Ａ】
0004410931.tif 000004
【図２Ｂ】
0004410931.tif 000005
【図３Ａ】
0004410931.tif 000006
【図３Ｂ】
0004410931.tif 000007
【図３Ｃ】
0004410931.tif 000008
【図４】
0004410931.tif 000009